(57)【要約】【課題】追い越される側のジョブの印刷物と追い越した側のジョブの印刷物とが容易に区別ができるようにセパレータを挿入し、追い越し印刷時の利便性向上を図る。【解決手段】ジョブ実行中（Ｓ１）に割り込みが発生すると（Ｓ２のＹ）、実行中のジョブを停止し（Ｓ５）、このジョブの用紙に関する情報をＲＡＭから呼び出し（Ｓ６）、割り込んだジョブの制御データから用紙サイズや用紙の排出先等の情報を取得し（Ｓ７）、停止中のジョブと割り込んだジョブとにおける排紙先および用紙サイズが同一であれば（Ｓ８のＹ，Ｓ１３のＹ）、セパレータとなる用紙として停止中のジョブで使用する用紙より大きいサイズの用紙を選択し、給紙カセットを指定してセパレータとなる用紙を排出してから（Ｓ１５）、割り込んだジョブを実行し（Ｓ１６）、終了後にセパレータとなる用紙を排出し（Ｓ１７，Ｓ１８）、停止中のジョブを再開する（Ｓ１９，Ｓ２０）。【選択図】    図３
2004149270.tif 000002
【特許請求の範囲】
【請求項１】
複数の給紙手段と、複数のジョブの動作が可能であって、実行中のジョブを一時停止してジョブの実行権を明け渡し、他のジョブに実行権を与えて印刷を開始させ、前記他のジョブの終了後に停止中のジョブを再開することにより、前記他のジョブが前記実行中のジョブに割り込んで追い越し印刷を行うように制御する制御手段とを有し、追い越し印刷の際に、追い越される側のジョブによる用紙と追い越す側のジョブによる用紙との間を区別するセパレータを挿入する機能を有する印刷装置において、
前記制御手段により、ジョブを実行する前にこのジョブにおいて使用する用紙情報を記憶手段に記憶し、追い越し印刷を行う際に、追い越される側のジョブによる用紙情報を前記記憶手段から取得するとともに追い越す側のジョブによる用紙を取得し、追い越される側のジョブによる用紙の排紙先と追い越す側のジョブによる用紙の排紙先が同一であれば、追い越される側のジョブによる用紙と異なるサイズの用紙をセパレータとして選択し、セパレータとなるサイズの用紙を収納した給紙手段から追い越す側のジョブの前後に用紙を前記排出先に排出することを特徴とする印刷装置。
【請求項２】
追い越す側のジョブの前後に挿入されるセパレータを同一の用紙としたことを特徴とする請求項１記載の印刷装置。
【請求項３】
追い越される側のジョブにおいて使用している用紙より大きなサイズ用紙をセパレータとして選択することを特徴とする請求項１または２記載の印刷装置。
【請求項４】
追い越される側のジョブが使用している用紙より大きなサイズの用紙を収納する給紙手段が存在しない場合には、給紙手段に収納されている用紙方向のために、縦横のどちらかが追い越される側のジョブが使用している用紙と比較して長くなる用紙をセパレータとしての選択対象にすることを特徴とする請求項３記載の印刷装置。
【請求項５】
用紙サイズが追い越される側のジョブで使用している用紙より少なくとも縦横のどちらかが大きい用紙であっても、縦横における長さの差が少ない用紙はセパレータとして選択対象外にすることを特徴とする請求項３または４記載の印刷装置。
【請求項６】
多重の追い越し印刷が行われる場合は、追い越す側のジョブの前後に挿入されるセパレータを前後で同一の用紙にするとともに、追い越しの発生ごとに異なるサイズの用紙をセパレータとして選択することを特徴とする請求項１〜５のいずれか１項記載の印刷装置。
【請求項７】
追い越しの発生ごとに、異なるサイズの用紙をセパレータとして選択することが不可能である場合は、セパレータの縦横どちらか追い越される側のジョブで使用している用紙より長い方の端部に、追い越しの発生した順番とセパレータの組が識別可能な印刷を行うことを特徴とする請求項６記載の印刷装置。
【発明の詳細な説明】
【０００１】
【発明の属する技術分野】
本発明は、プリンタ、複写機、ファクシミリ装置およびそれらを統合した複合機等に適用され、印刷画像を生成して印刷を行う印刷装置に関する。
【０００２】
【従来の技術】
従来、複数のジョブの動作が可能な印刷装置において、エラーが発生して停止中のジョブを、後続ジョブが次々に追い越して印刷を行う印刷装置について提案されている。
【０００３】
この印刷装置によれば、追い越し印刷によって印刷の効率化を図ることが可能となるが、追い越される側と追い越す側の排紙先が同一である場合は、排紙先変更を行うことにより、追い越される側の印刷結果が割り込まれないようにすることが基本であるため、小型のプリンタ等で排紙先の数が少ない場合などに応用する際には問題があった。
【０００４】
また従来、追い越される側と追い越す側の排紙先が同一である場合に、追い越しを行う方法としては、追い越す側のジョブの前後にセパレータを挿入して、印刷物の識別が容易であるようにする方法があり、引用文献１に記載された印刷装置はその代表的な例である。
【０００５】
【特許文献１】
特開２０００−３４３７９３号公報
【０００６】
【発明が解決しようとする課題】
しかし、セパレータを用いても、追い越された側と追い越した側の印刷結果の識別は難しい場合も多く、単純なセパレータの挿入では、ユーザの利便性向上に貢献しない場合もあった。
【０００７】
本発明は、上述した点に鑑みてなされたものであり、セパレータの挿入に関し、追い越される側が使用している用紙と異なる大きさの用紙を選択することにより、追い越し印刷時の利便性向上を図ることを目的とする。
【０００８】
【課題を解決するための手段】
前記目的を達成するため、請求項１に係る発明は、複数の給紙手段と、複数のジョブの動作が可能であって、実行中のジョブを一時停止してジョブの実行権を明け渡し、他のジョブに実行権を与えて印刷を開始させ、前記他のジョブの終了後に停止中のジョブを再開することにより、前記他のジョブが前記実行中のジョブに割り込んで追い越し印刷を行うように制御する制御手段とを有し、追い越し印刷の際に、追い越される側のジョブによる用紙と追い越す側のジョブによる用紙との間を区別するセパレータを挿入する機能を有する印刷装置において、前記制御手段により、ジョブを実行する前にこのジョブにおいて使用する用紙情報を記憶手段に記憶し、追い越し印刷を行う際に、追い越される側のジョブによる用紙情報を前記記憶手段から取得するとともに追い越す側のジョブによる用紙を取得し、追い越される側のジョブによる用紙の排紙先と追い越す側のジョブによる用紙の排紙先が同一であれば、追い越される側のジョブによる用紙と異なるサイズの用紙をセパレータとして選択し、セパレータとなるサイズの用紙を収納した給紙手段から追い越す側のジョブの前後に用紙を前記排出先に排出することを特徴とする。このように構成したことにより、追い越される側のジョブの排紙先と追い越す側のジョブの排紙先が同一である場合、追い越される側のジョブの印刷物と追い越した側のジョブの印刷物の区別が容易につくように、追い越す側のジョブの前後にセパレータを挿入するが、そのセパレータとして用いられる用紙が、追い越される側のジョブが使用している用紙と、大きさが異なるように選択しているので、追い越し印刷の際の印刷物の識別が容易になり、利用者の利便性の向上を図ることができる。
【０００９】
請求項２に係る発明は、請求項１に係る発明において、追い越す側のジョブの前後に挿入されるセパレータを同一の用紙としたことを特徴とする。このように構成したことにより、追い越す側のジョブの前後に挿入されるセパレータが、前後の２枚で同一の用紙で挿入しているので、追い越し印刷の際の、追い越された側のジョブによる印刷後の用紙と追い越した側のジョブによる印刷後の用紙との識別が容易になり、利用者の利便性の向上を図ることができる。
【００１０】
請求項３に係る発明は、請求項１または２に係る発明において、追い越される側のジョブにおいて使用している用紙より大きなサイズ用紙をセパレータとして選択することを特徴とする。このように構成したことにより、セパレータの用紙を選択する際に、追い越される側のジョブが使用している用紙より大きな用紙を選択することにより、追い越す側のジョブの前後に挿入されるセパレータが、追い越される側のジョブにおいて使用する用紙より大きなサイズであるため、追い越された側における印刷後の用紙に対してセパレータが縦横に突出するようになる。その結果、追い越された側における印刷後の用紙と追い越した側における印刷後の用紙との識別が容易になり、利用者の利便性向上を図ることができる。
【００１１】
請求項４に係る発明は、請求項３に係る発明において、追い越される側のジョブが使用している用紙より大きなサイズの用紙を収納する給紙手段が存在しない場合には、給紙手段に収納されている用紙方向のために、縦横のどちらかが追い越される側のジョブが使用している用紙と比較して長くなる用紙をセパレータとしての選択対象にすることを特徴とする。このように構成したことにより、縦横のどちらかが、追い越される側のジョブにおいて使用する用紙と比較して長くなる用紙が存在すれば、その用紙もセパレータとして選択することにより、追い越された側における印刷後の用紙に対してセパレータが縦または横に突出するようになる。その結果、追い越される側の使用している用紙より大きな用紙がすべての給紙手段に存在しない場合等であっても、追い越された側における印刷後の用紙と追い越した側における印刷後の用紙の識別が容易になり、利用者の利便性の向上を図ることができる。
【００１２】
請求項５に係る発明は、請求項３または４に係る発明において、用紙サイズが追い越される側のジョブで使用している用紙より少なくとも縦横のどちらかが大きい用紙であっても、縦横における長さの差が少ない用紙はセパレータとして選択対象外にすることを特徴とする。このように構成したことにより、追い越される側のジョブが使用している用紙と、セパレータの用紙選択により選択された用紙サイズが、縦横ともに長さの差が少なく、似通った用紙サイズである場合には、排紙先のスタック性などの要因により、セパレータと追い越される側のジョブにおける印刷後の用紙との区別がつきにくくなってしまうが、このような場合には当該用紙をセパレータとして選択させないようにしているので、追い越された側における印刷後の用紙と追い越した側における印刷後の用紙との識別が容易になり、利用者の利便性の向上を図ることができる。
【００１３】
請求項６に係る発明は、請求項１〜５のいずれか１項に係る発明において、多重の追い越し印刷が行われる場合は、追い越す側のジョブの前後に挿入されるセパレータを前後で同一の用紙にするとともに、追い越しの発生ごとに異なるサイズの用紙をセパレータとして選択することを特徴とする。このように構成したことにより、多重の追い越し印刷が行われる場合に、追い越す側のジョブの前後に挿入されるセパレータを、前後で同一の用紙にするとともに、追い越しの発生ごとに異なるセパレータの前後の組を使用しているので、追い越しの発生回数と印刷後の用紙の識別を容易にし、利用者の利便性の向上を図ることができる。
【００１４】
請求項７に係る発明は、請求項６に係る発明において、追い越しの発生ごとに、異なるサイズの用紙をセパレータとして選択することが不可能である場合は、セパレータの縦横どちらか追い越される側のジョブで使用している用紙より長い方の端部に、追い越しの発生した順番とセパレータの組が識別可能な印刷を行うことを特徴とする。このように構成したことにより、セパレータの縦横どちらか長い方の端に、追い越しの発生した順番とセパレータの組が識別可能な印刷を行っているので、追い越しの発生ごとにセパレータの組を変化させようとしても、セパレータとして利用可能な用紙が追い越し回数分存在しない等で、そのままでは印刷後の用紙の識別が困難になってしまっていた場合であっても、追い越しの発生回数と印刷後の用紙の識別を容易にし、利用者の利便性の向上を図ることができる。
【００１５】
【発明の実施の形態】
以下、本発明の実施形態について、図面を参照しながら詳細に説明する。ここでは、本発明の印刷装置の一例として、レーザープリンタの構成について述べる。
【００１６】
図１は本発明の一実施形態におけるレーザープリンタのハード構成を示すブロック図であり、１はプリンタを示し、プリンタ１には、各種の制御を行うコントローラ２、各種命令の入力あるいは情報表示を行う操作パネル４、印字を行うプリンタエンジン１３が備えられている。３はプリンタ１に印字データや制御信号を送信するホストを示す。
【００１７】
コントローラ２は、その時設定されている制御モードおよびホスト３からの制御コードにしたがって、ホスト３からの印字データを、ビデオデータに変換してプリンタエンジン１３へ出力する制御機構の総称であり、ホストＩ／Ｆ５，プログラムＲＯＭ６，フォントＲＯＭ７，パネルＩ／Ｆ８，ＣＰＵ９，ＲＡＭ１０，ＮＶ−ＲＡＭ１１，エンジンＩ／Ｆ１２，プリンタエンジン１３，オプションＲＡＭ１４といったモジュールによって構成される。
【００１８】
ホストＩ／Ｆ５は、ホスト３からプリンタ１へ送信する制御信号およびデータ、プリンタ１からホスト３へ送信するステータス信号のインターフェースである。ＣＰＵ９は、プログラムＲＯＭ６にしたがってホスト３からのデータ（印字データ、制御データ）を処理するものである。ＲＡＭ１０は、ＣＰＵ９が処理する時のワークメモリ、ホスト３からのデータをページ単位に管理して一時記憶するバッファ、バッファに記憶されたデータを実際の印字パターンに変換し、ビデオデータを記憶するビットマップメモリ等に使われる。ＮＶ−ＲＡＭ１１は、電源を切っても保持したいデータを格納しておくための不揮発性ＲＡＭである。
【００１９】
プログラムＲＯＭ６は、コントローラ２内でのデータの管理や、周辺モジュールを制御するためのプログラムを格納したものである。フォントＲＯＭ７は、印字に使用されるさまざまな種類のフォントを記憶したものである。エンジンＩ／Ｆ１２は、コントローラ２からプリンタエンジン１３への制御信号、プリンタ１からコントローラ２へのステータス信号のインタフェースである。
【００２０】
プリンタエンジン１３は、コントローラ２からのビデオ信号および制御信号により図示しない感光体上に静電潜像を作成し、この静電潜像を現像し、一方で給紙部より用紙を給紙し、現像して得られた画像を用紙に転写し、定着することにより、用紙に画像を形成するものである。パネルＩ／Ｆ８は、プリンタ１の状態、モード、フォント等の切り替えを行うための信号のインタフェースである。操作パネル４は、プリンタの状態を示す表示部、およびプリンタのモード、フォント等を切替えるスイッチ部を備えている。
【００２１】
ホストＩ／Ｆ５を通してホスト３から送られてきたデータは、ＣＰＵ９により印字データおよび印字制御データ（ＳＰ，ＣＲ，ＬＦ，ＨＴ，ＶＴ，…等）とその他に分けられ、印字データおよび印字制御データは、制御コードに変換されてＲＡＭ１０に記憶される。ホスト３からのプリント命令またはホストから受け取ったデータが１ページ分を超えた時、コントローラ２はまず、中間コードをビデオデータに変換し、それが終了したら、エンジンＩ／Ｆ１２を通してプリンタエンジン１３にプリントスタートの命令を出す。
【００２２】
以上のような一連の流れで、ホスト３からの印字データがプリンタエンジン１３を介して印字される。
【００２３】
図２は本実施形態による印刷結果の概要を示す説明図である。プリンタ１には実行中のジョブを追い越して他のジョブを印刷可能にする追い越し印刷機能が備えられており、コントローラ２による制御によって実現される。追い越される側のジョブの排紙先と追い越す側のジョブの排紙先が同一である場合、追い越される側のジョブの印刷用紙と追い越した側のジョブの印刷用紙とが容易に区別できるように、追い越す側のジョブの前後にセパレータが挿入される。ここで、そのセパレータとして用いられる用紙と追い越される側のジョブが使用している用紙との大きさが異なるようにする。なお、本実施形態においては、用紙サイズが同じであってもプリンタ１本体にセットされている方向が異なるならば、例えば、Ａ４縦とＡ４横では異なる用紙として扱うことにする。
【００２４】
図３は割り込み発生時におけるセパレータ挿入手順を示すフローチャートである。
【００２５】
ホスト３からプリンタ１にジョブが投入されると、ＲＡＭ１０に、ジョブに関する用紙サイズや印刷方向、用紙の排出先等の情報が記憶される。そして、複数の給紙カセットの中から、ジョブに対応する用紙を収納した給紙カセットを選択し、ジョブを実行する（Ｓ１）。ジョブの実行中には割り込みが発生したか否かが監視され（Ｓ２）、割り込みが発生しなければ（Ｓ２のＮ）、印字処理を継続し（Ｓ３のＮ）、印字データが全て印字出力された時点でジョブを終了する（Ｓ３のＹ，Ｓ４）。
【００２６】
割り込みの発生が検知されると（Ｓ２のＹ）、実行中のジョブを停止し（Ｓ５）、実行していたジョブの用紙に関する情報をＲＡＭ１０から呼び出すとともに（Ｓ６）、割り込んだジョブの制御データから用紙サイズや印刷方向、用紙の排出先等の情報を取得する（Ｓ７）。なお、取得した情報はＲＯＭ１０に記憶される。そして、停止中のジョブにおける排紙先と割り込んだジョブにおける排紙先と比較し、異なっていれば（Ｓ８のＮ）、割り込みジョブを実行させて指定の排紙先に印字用紙を出力し、割り込みジョブの終了後に停止中のジョブを再開して指定の排紙先に印字用紙を出力し、印字データが全て印字出力された時点でジョブを終了する（Ｓ９，Ｓ１０，Ｓ１１，Ｓ１２）。排紙先が同一であれば（Ｓ８のＹ）、用紙サイズを比較し（Ｓ１３）、用紙サイズが異なる場合には（Ｓ１３のＮ）、割り込みジョブを実行させて指定の排紙先に印字用紙を出力し、割り込みジョブの終了後に停止中のジョブを再開して指定の排紙先に印字用紙を出力し、印字データが全て印字出力された時点でジョブを終了する（Ｓ９，Ｓ１０，Ｓ１１，Ｓ１２）。用紙サイズが同一の場合には（Ｓ１３のＹ）、セパレータとなる用紙を選択し、この用紙が収納されている給紙カセットを指定して１枚給紙し、排紙先に蓄積されている停止中のジョブにおいて印字された用紙の上に排紙する。なお、用紙サイズを比較する代わりに、停止中のジョブおよび割り込みジョブで使用する給紙カセットが同一であるか否かを比較しても良い。
【００２７】
セパレータとなる用紙を排出した後（Ｓ１５）、割り込んだジョブを実行し（Ｓ１６）、終了後にセパレータとなる用紙を排出する（Ｓ１７，Ｓ１８）。そしてセパレータを挿入後、停止中のジョブを再開し（Ｓ１９）、印字データが全て印字出力された時点でジョブを終了する（Ｓ２０）。
【００２８】
ここで、セパレータとなる用紙としては、プリンタ１にセットされている各種サイズの用紙の中で、印刷ジョブで使用される用紙のサイズより大きいサイズの用紙が適用可能であることは言うまでもないが、印刷ジョブで使用される用紙のサイズより小さいサイズの用紙であっても、印刷ジョブで使用される用紙の縦または横のサイズの少なくとも一方が大きい用紙であれば適用可能である。例えば、ジョブで使用される用紙がＡ４縦であればＢ４縦の用紙がセパレータとして適用可能である。また、図４（ａ）に示すように、印刷ジョブで使用される用紙がＡ４縦であればＢ５縦の用紙はセパレータとして適用できないが、図４（ｂ）に示すように、Ｂ５横の用紙であればセパレータとして適用可能である。また、割り込みジョブ前後に挿入されるセパレータのサイズは同一でも良いが、セパレータとして適用可能な用紙のサイズを収納した給紙カセットが複数存在する場合には、異なるサイズの用紙を適用しても良い。
【００２９】
また、仮に、印刷ジョブで使用している用紙のサイズよりも大きいが、縦横ともに長さの差が少なく、似通った用紙サイズの用紙をセパレータとして選択した場合には、排紙先のスタック性などの要因により、セパレータとジョブの印刷物との区別がつきにくくなってしまう。例えば、追い越される側のジョブがＡ４の用紙を使用しているとき、セパレータとして選択しようとしているのが、ＬＴ（レター）用紙でかつＡ４と用紙方向が同一であるとする。この場合、ＬＴ用紙のほうが若干Ａ４より短辺方向で長いが、両者の差はあまり大きいとは言えないため、排紙先のスタック性が悪い場合など、用紙がきれいに揃って排紙されていないような時には、両者の区別が難しくなってしまうことが考えられる。そこで、似通った用紙とされる用紙サイズのグループを予め設定してプログラムＲＯＭ６やＮＶ−ＲＡＭ１１のような不揮発性のメモリに記憶しておき、印刷ジョブで使用している用紙のサイズを含むグループ内の用紙はセパレータとして選択しないようにする。これにより、追い越された側の印刷物と追い越した側の印刷物の識別が容易になり、利用者の利便性の向上を図ることが可能となる。
【００３０】
このように制御することにより、図２に示すように、ジョブ実行中に割り込みが発生し、追い越し印刷を実行させた場合、追い越された側のジョブによる印刷結果と追い越した側のジョブによる印刷結果との間にセパレータが挿入されるため、追い越し印刷の際の印刷物の識別が容易になり、利用者の利便性の向上を図ることが可能となる。
【００３１】
ところで、図２に示す例は、ジョブ実行中に割り込みが１度発生した場合について説明したものであるが、ジョブ実行中に割り込みを監視して、割り込みが発生した時にセパレータを挿入するため、割り込みが複数発生した場合には、各印刷ジョブの前後にセパレータが挿入されるようになる。
【００３２】
図５は多重の追い越し印刷が行われた場合におけるセパレータの挿入例を示す説明図である。ここで多重の追い越し印刷とは、例えば最初のジョブＡに対して２回の割り込みによるジョブＢ，ジョブＣが発生したときに、ジョブＡの印刷途中にジョブＢが割り込んで追い越し印刷を行い、そのジョブＢの印刷途中にジョブＣが割り込んで割り込み印刷を行う、といったような印刷の行われ方を指すものである。
【００３３】
図５は、ジョブＡ，Ｂ，Ｃが全てＡ４の用紙への印刷でありセパレータとしてＢ４、Ａ３が選択可能であった場合の例を示すものであり、ジョブＢの前後にはセパレータとしてＢ４サイズの用紙が挿入され、ジョブＣの前後にはセパレータとしてＡ３サイズの用紙が挿入されている。すなわち、多重の追い越し印刷が行われる場合に、追い越す側のジョブの前後に挿入されるセパレータを、前後で同一の用紙にするとともに、追い越しの発生ごとに異なるセパレータの前後の組を使用するように、セパレータが選択される。
【００３４】
仮に、セパレータとして挿入される用紙のサイズがすべて同じであると、例えば、図５に示す例においては、下から２番目のセパレータが、ジョブＢの追い越し終了のセパレータかあるいはジョブＣの追い越し開始のセパレータかがまったく区別つかなくなってしまう。そこで、前述したように、追い越しの前後に挿入されるセパレータを同一の用紙として、それらの組を追い越し発生の度に変化させることで、追い越しの発生回数と印刷物の識別を容易にし、利用者の利便性の向上を図ることが可能となる。
【００３５】
また、図５に示す例の場合には、セパレータとして利用可能な用紙が追い越し回数分存在しているが、追い越しの発生ごとにセパレータの組を変化させようとしても、セパレータとして利用可能な用紙が追い越し回数分存在しない場合もあり、この場合には印刷物の識別が困難になってしまう。
【００３６】
そこで、このような場合には、セパレータの縦横どちらか長い方の端に、追い越しの発生した順番とセパレータの組が識別可能な印刷を行うようにする。例えば、１つの給紙段のみＢ４が入っているが、残りの給紙段はすべてＡ４であったとする。この場合、多重追い越しを行うと、セパレータとして利用可能な用紙がＢ４のみとなってしまうが、Ｂ４をセパレータとして利用しても、追い越される側のジョブの印刷物からはみ出す部分に、「▲１▼」「▲２▼」…や、「追い越し１回目」「追い越し２回目」…や、「Ａ」「Ｂ」…などのように、それぞれの組を識別可能な記号や文字等を印刷することにより、追い越しの発生回数と印刷物の識別を容易にし、利用者の利便性の向上を図ることが可能となる。
【００３７】
以上、本実施形態について説明してきたが、本発明における実施形態は上述したものに限るものではない。例えば、上述した実施形態はプリンタを例として説明したが、複写機、ファクシミリ装置およびそれらを統合した複合機に適用可能である。特に、複合機の場合には、例えば、プリンタ機能の実行中に複写機機能を使用するなど、異なる機能による割り込みが発生することがある。そのため、セパレータにおける追い越される側のジョブの印刷物からはみ出す部分に「ＦＡＸ」「コピー」といった文字等を印刷しても良い。
【００３８】
また、ジョブの用紙サイズや方向等の情報はＲＡＭ１０に記憶したが、ＮＶ−ＲＡＭ１１やオプションＲＡＭ１４に記憶しても良い。また、サーバ機能を有するプリンタのように大容量記憶装置（ＨＤＤ）が備えられている場合には、その大容量記憶装置に記憶しても良い。
【００３９】
【発明の効果】
以上、説明したように構成された本発明によれば、実行中のジョブを追い越して他のジョブが印刷可能な印刷装置において、追い越される側のジョブの排紙先と追い越す側のジョブの排紙先が同一である場合、追い越される側のジョブの印刷物と追い越した側のジョブの印刷物の区別が容易につくように、追い越す側のジョブの前後にセパレータを挿入するが、そのセパレータとして用いられる用紙が、追い越される側のジョブが使用している用紙と、大きさが異なるように選択しているので、追い越し印刷の際の印刷物の識別が容易になり、利用者の利便性の向上を図ることができる。
【図面の簡単な説明】
【図１】本発明の一実施形態におけるレーザープリンタのハード構成を示すブロック図
【図２】本実施形態による印刷結果の概要を示す説明図
【図３】割り込み発生時におけるセパレータ挿入手順を示すフローチャート
【図４】セパレータの挿入例を示す説明図
【図５】多重の追い越し印刷が行われた場合におけるセパレータの挿入例を示す説明図
【符号の説明】
１  プリンタ
２  コントローラ
３  ホスト
４  操作パネル
５  ホストＩ／Ｆ
６  プログラムＲＯＭ
９  ＣＰＵ
１０  ＲＡＭ
１１  ＮＶ−ＲＡＭ
１３  プリンタエンジン
１４  オプションＲＡＭ
【図１】
2004149270.tif 000003
【図２】
2004149270.tif 000004
【図３】
2004149270.tif 000005
【図４】
2004149270.tif 000006
【図５】
2004149270.tif 000007